(57)【特許請求の範囲】
【請求項１】
受信する制御信号に基づき発光状態を変更する複数の照明装置と、前記照明装置それぞれに対し制御信号を送信する制御装置と、前記制御装置へ情報を設定する設定装置と、少なくとも１個のボタンを備えたリモコンとから構成される照明システムであって、
前記設定装置は、
前記リモコンから前記リモコンのＩＤを、前記制御装置を介して受信するＩＤ受信手段と、
受信した前記リモコンのＩＤにより識別されるリモコンが備えるボタンと、シーンを再現するために前記複数の照明装置それぞれに送信する制御信号とを対応付けるよう前記制御装置に指示する対応指示手段とを備え、
前記制御装置は、
前記リモコンから前記ボタンが押下された場合に送信されるボタン情報を受信した場合に、前記ボタンに対応付けられている制御信号を前記照明装置それぞれに送信し、
前記照明装置は、
前記制御信号に基づいて発光状態を変更することによりシーンを再現する
ことを特徴とする照明システム。
【請求項２】
前記設定装置は、
表示部と、
前記シーンを示すシーン画像を、複数のリモコン識別子と、前記複数のリモコン識別子のうち、選択されたリモコン識別子で識別されるリモコンのボタンそれぞれを示すボタン画像の一覧と共に、前記表示部に表示し、前記シーン画像を前記ボタン画像の一覧のうちのいずれかの選択ボタン画像にドラッグ＆ドロップする操作を受け付ける割当手段とを、更に備え、
前記対応指示手段は、
前記選択ボタン画像が示すボタンと、前記シーン画像が示すシーンを再現するための制御信号とを対応付けるよう前記制御装置に指示する
ことを特徴とする請求項１に記載の照明システム。
【請求項３】
前記設定装置は、
前記シーン画像に対して所定の操作を受け付けると、当該シーン画像のシーンを示す情報を、前記制御装置に送信するテスト送信手段を、更に備え、
前記制御装置は、
前記テスト送信手段からシーンを示す情報を受信すると、当該シーンを再現するための制御信号を前記リモコンのボタンに対応付けずに前記照明装置それぞれに送信する
ことを特徴とする請求項２に記載の照明システム。
【請求項４】
前記リモコンは、
所定の操作を受け付けると、自装置のＩＤを送信するＩＤ送信手段を備え、
前記制御装置は、
前記リモコンのＩＤを受信し、受信した当該リモコンのＩＤを前記設定装置に送信し、
前記割当手段は、
前記リモコンのＩＤを受信した場合に、受信したＩＤのリモコンを示すリモコン画像を、前記表示部に表示する
ことを特徴とする請求項２又は３に記載の照明システム。
【請求項５】
前記割当手段は、
前記リモコンを示すリモコン画像の一覧を表示し、前記リモコン画像の一覧のうちの複数のリモコン画像を選択リモコン画像として受け付け、前記シーン画像を、前記ボタン画像の一覧のうちの１以上の選択ボタン画像にドラッグ＆ドロップする操作を受け付け、
前記対応指示手段は、
前記選択リモコン画像が示すリモコンそれぞれにおける前記選択ボタン画像が示すボタンそれぞれと、前記シーン画像が示すシーンを再現するための制御信号とを対応付けるよう前記制御装置に指示する
ことを特徴とする請求項２〜４のいずれか一項に記載の照明システム。
【請求項６】
前記割当手段は、
前記リモコンを示すリモコン画像の一覧を前記表示部に表示し、１つのリモコン画像をコピー元リモコンとして受け付け、他の１以上のリモコン画像をコピー先リモコンとして受け付け、
前記対応指示手段は、
前記コピー先リモコンのボタンそれぞれと、前記コピー元リモコンのボタンそれぞれに対応付けられている制御信号とを対応付けるよう前記制御装置に指示する
ことを特徴とする請求項２〜５のいずれか一項に記載の照明システム。
【請求項７】
前記ＩＤ送信手段は、
いずれかの前記制御装置から接続完了メッセージを受信するまで、自装置を示すＩＤを全方位に向けて送信し、
前記制御装置は、
前記ＩＤ送信手段からリモコンのＩＤを受信すると、受信したリモコンのＩＤを記憶し、受信したＩＤが示すリモコンに対して、接続完了メッセージを送信する
ことを特徴とする請求項４に記載の照明システム。
【請求項８】
少なくとも１個のボタンを備えたリモコンと、受信する制御信号に基づき発光状態を変更することによりシーンを再現する複数の照明装置と、前記リモコンから前記ボタンが押下された場合に送信されるボタン情報を受信すると、前記ボタンに対応付けられている制御信号を前記照明装置それぞれに送信する制御装置と、前記制御装置へ情報を設定する設定装置と、から構成される照明システムの前記設定装置であって、
前記リモコンから前記リモコンのＩＤを、前記制御装置を介して受信するＩＤ受信手段と、
受信した前記リモコンのＩＤにより識別されるリモコンが備えるボタンと、前記シーンを再現するために前記複数の照明装置それぞれに送信する制御信号とを対応付けるよう前記制御装置に指示する対応指示手段とを備える
ことを特徴とする設定装置。
【請求項９】
受信する制御信号に基づき発光状態を変更する複数の照明装置と、前記照明装置それぞれに対し制御信号を送信する制御装置と、前記制御装置へ情報を設定する設定装置と、少なくとも１個のボタンを備えたリモコンとから構成される照明システムで用いられる照明制御方法であって、
前記設定装置が、
前記リモコンから前記リモコンのＩＤを、前記制御装置を介して受信するＩＤ受信ステップと、
受信した前記リモコンのＩＤにより識別されるリモコンが備えるボタンと、シーンを再現するために前記複数の照明装置それぞれに送信する制御信号とを対応付けるよう前記制御装置に指示する対応指示ステップとを実行し、
前記制御装置が、
前記リモコンから前記ボタンが押下された場合に送信されるボタン情報を受信した場合に、前記ボタンに対応付けられている制御信号を前記照明装置それぞれに送信する
ことを特徴とする照明制御方法。
【請求項１０】
受信する制御信号に基づき発光状態を変更する複数の照明装置と、前記照明装置それぞれに対し制御信号を送信する制御装置と、前記制御装置へ情報を設定する設定装置と、少なくとも１個のボタンを備えたリモコンとから構成される照明システムで用いられる照明制御プログラムであって、
前記リモコンから前記リモコンのＩＤを、前記制御装置を介して受信するＩＤ受信手段と、
受信した前記リモコンのＩＤにより識別されるリモコンが備えるボタンと、シーンを再現するために前記複数の照明装置それぞれに送信する制御信号とを対応付けるよう前記制御装置に指示する対応指示手段として、前記設定装置を機能させ、
前記リモコンから前記ボタンが押下された場合に送信されるボタン情報を受信した場合に、前記ボタンに対応付けられている制御信号を前記照明装置それぞれに送信するよう、前記制御装置を機能させる
ことを特徴とする照明制御プログラム。
【発明の詳細な説明】
【技術分野】
【０００１】
本発明は、複数の照明装置が無線通信により制御される照明システムに関するものである。
【背景技術】
【０００２】
近年、室内では、多種多様な照明器具が使用されている。例えば、家庭内では、シーリングライトなどのメイン照明の他、ブラケットライトやスタンドなどの補助照明が使用され、部屋の目的や、時間帯に合わせて、明かりを演出することが行われている。例えば、夕食時はメイン照明を用いて明るくし、夕食後はリラックスできるように間接照明を用いて暗くするなどである。
【０００３】
ここで、室内にある複数の照明器具の明るさを、生活シーンに合わせて変える技術が提案されている。
【０００４】
例えば、リモコンのボタンに、予め、室内の１つのシーン（場面）として、室内にある複数の照明器具それぞれの調光率を対応させておき、そのボタンを押下するだけで、その１シーンを再現できるようにする技術が提案されている（特許文献１参照）。この技術では、室内にある照明装置を好みの点灯状態（点灯／消灯、調光率等）に設定して、照明装置ごとにリモコンの１つのボタンに対応付けていく。
【０００５】
具体的には、リモコンの蓋が開いた状態で、ユーザは、１つの照明装置のチャネルを選択し、次に、その照明装置を所望の点灯状態に変更して、リモコンのボタンを押下する。この一連の操作により、１つの照明装置の点灯状態が、押下したボタンに対応付けられる。ユーザは、この一連の操作を、照明装置ごとに行って、１つのシーンを１つのボタンに割り当てる。異なるボタンに、異なるシーンを割り当てる場合には、上述した一連の操作を、照明装置ごとに行う。
【０００６】
そして、ユーザが、リモコンの蓋を閉じて、ボタンを押下すると、そのボタンに対応付けられている点灯状態の再現信号が各照明装置に対して送信されて、１シーンが再現される。
【先行技術文献】
【特許文献】
【０００７】
【特許文献１】特開２００５−２７６７２６号公報
【発明の概要】
【発明が解決しようとする課題】
【０００８】
この技術によれば、ボタンを押下するだけで１シーンが再現できることになる。
【０００９】
しかし、この技術では、照明装置ごとに所望する点灯状態に設定して、照明装置ごとにボタンに対応付けていかなければならないので、多くの照明装置を用いて１シーンを再現する場合には手間がかかる。また、照明装置の点灯状態をリモコンのボタンに対応付ける際や、点灯状態を再現する際には、照明装置は、リモコンからの信号を直接受信できる位置にあることが必要である。
【００１０】
そこで、本発明は、複数の照明装置を用いたシーンを、リモコンのボタンに容易に割り当てることができ、ボタンの押下により所望のシーンを再現することを目的とする。
【課題を解決するための手段】
【００１１】
本発明にかかる一態様に係る照明システムは、受信する制御信号に基づき発光状態を変更する複数の照明装置と、前記照明装置それぞれに対し制御信号を送信する制御装置と、前記制御装置へ情報を設定する設定装置と、少なくとも１個のボタンを備えたリモコンとから構成される照明システムであって、前記設定装置は、前記リモコンから前記リモコンのＩＤを、前記制御装置を介して受信するＩＤ受信手段と、受信した前記リモコンのＩＤにより識別されるリモコンが備えるボタンと、シーンを再現するために前記複数の照明装置それぞれに送信する制御信号とを対応付けるよう前記制御装置に指示する対応指示手段とを備え、前記制御装置は、前記リモコンから前記ボタンが押下された場合に送信されるボタン情報を受信した場合に、前記ボタンに対応付けられている制御信号を前記照明装置それぞれに送信し、前記照明装置は、前記制御信号に基づいて発光状態を変更することによりシーンを再現することを特徴とする。
【００１２】
このような構成の照明システムによれば、ユーザは、設定装置において、複数の照明装置の発光状態を変更するための制御信号（シーンを再現するための制御信号）を記憶させ、設定装置から制御装置に対して、制御信号とリモコンのボタンとを対応付けるよう指示を出すことができる。つまり、ユーザは、リモコンのボタンに制御信号を対応付ける場合には、当該リモコンの操作を行わずに、設定装置を操作するだけで、リモコンのボタンに制御情報を対応付けることが可能となる。尚、照明装置に対する制御信号は、制御装置から送信されるので、照明装置は、シーン毎の発光状態等を記憶する等の特別な機能を備える必要はない。
【００１３】
また、上述の照明システムは、前記設定装置は、表示部と、前記シーンを示すシーン画像を、前記リモコンのボタンそれぞれを示すボタン画像の一覧と共に、前記表示部に表示し、前記シーン画像を前記ボタン画像の一覧のうちのいずれかの選択ボタン画像にドラッグ＆ドロップする操作を受け付ける割当手段とを、更に備え、前記対応指示手段は、前記選択ボタン画像が示すボタンと、前記シーン画像が示すシーンを再現するための制御信号とを対応付けるよう前記制御装置に指示することが好ましい。
【００１４】
この構成によれば、設定装置の表示部に表示された画像をドラッグ＆ドロップするだけで、リモコンのボタンに、シーンを再現する制御信号を対応付けることができる。つまり、ユーザは、設定装置の表示画面を見ながら、簡単な操作で、容易に、シーンをボタンに割り当てることが可能となる。
【００１５】
また、上述の照明システムは、前記設定装置は、前記シーン画像に対して所定の操作を受け付けると、当該シーン画像のシーンを示す情報を、前記制御装置に送信するテスト送信手段を、更に備え、前記制御装置は、前記テスト送信手段からシーンを示す情報を受信すると、当該シーンを再現するための制御信号を前記照明装置それぞれに送信することが好ましい。
【００１６】
この構成によれば、設定装置に表示されたシーンを示す画像に対して所定の操作を行うだけで、そのシーンを照明装置に再現させることができるので、実際にシーンを確認してから、リモコンのボタンに割り当てることが可能となる。従って、ボタンに誤ったシーンを割り当ててしまう可能性を大幅に少なくできる。
【００１７】
また、上述の照明システムは、前記リモコンは、所定の操作を受け付けると、自装置のＩＤを送信するＩＤ送信手段を備え、前記制御装置は、前記リモコンのＩＤを受信し、受信した当該リモコンのＩＤを前記設定装置に送信し、前記割当手段は、前記リモコンのＩＤを受信した場合に、受信したＩＤのリモコンを示すリモコン画像を、前記表示部に表示することが好ましい。
【００１８】
この構成によれば、リモコンに対して所定の操作を行うことで、設定装置の表示部にそのリモコンを示す画像を表示するので、所望するリモコンのボタンに、所望のシーンを正しく割り当てることが可能となる。
【００１９】
また、上述の照明システムは、前記割当手段は、前記リモコンを示すリモコン画像の一覧を表示し、前記リモコン画像の一覧のうちの複数のリモコン画像を選択リモコン画像として受け付け、前記シーン画像を、前記ボタン画像の一覧のうちの１以上の選択ボタン画像にドラッグ＆ドロップする操作を受け付け、前記対応指示手段は、前記選択リモコン画像が示すリモコンそれぞれにおける前記選択ボタン画像が示すボタンそれぞれと、前記シーン画像が示すシーンを再現するための制御信号とを対応付けるよう前記制御装置に指示することが好ましい。
【００２０】
この構成によれば、複数のリモコンの複数のボタンに、同時にシーンを割り当てることができるので、効率よく複数のリモコンのボタンに、同一のシーンを割り当てることが可能となる。
【００２１】
また、上述の照明システムは、前記割当手段は、前記リモコンを示すリモコン画像の一覧を前記表示部に表示し、１つのリモコン画像をコピー元リモコンとして受け付け、他の１以上のリモコン画像をコピー先リモコンとして受け付け、前記対応指示手段は、前記コピー先リモコンのボタンそれぞれと、前記コピー元リモコンのボタンそれぞれに対応付けられている制御信号とを対応付けるよう前記制御装置に指示することが好ましい。
【００２２】
この構成によれば、いわゆるリモコンの複製を容易に作成できるので、効率よく複数のリモコンのボタンにシーンを割り当てることが可能となる。
【００２３】
また、上述の照明システムは、前記ＩＤ送信手段は、いずれかの前記制御装置から接続完了メッセージを受信するまで、自装置を示すＩＤを全方位に向けて送信し、前記制御装置は、前記ＩＤ送信手段からリモコンのＩＤを受信すると、受信したリモコンのＩＤを記憶し、受信したＩＤが示すリモコンに対して、接続完了メッセージを送信することが好ましい。
【００２４】
この構成によれば、リモコンからリモコンのＩＤを送信させることができるので、新たに追加したリモコンを、制御装置に容易に認識させることが可能となる。
【発明の効果】
【００２５】
本発明にかかる照明システムでは、複数の照明装置を用いたシーンを、リモコンのボタンに容易に割り当てることができ、ボタンの押下により所望のシーンを再現することできる。
【図面の簡単な説明】
【００２６】
【図１】リモコンの正面図の例である。
【図２】リモコン登録画面の例である。
【図３】シーンセレクト画面の例である。
【図４】ボタン設定コピー画面の例である。
【図５】照明装置の配置例を示す図である。
【図６】シーンの設定例１を説明するための図である。
【図７】シーンの設定例２を説明するための図である。
【図８】シーンの設定例３を説明するための図である。
【図９】照明システムの全体構成例を示す図である。
【図１０】照明システムの全体構成の他の例を示す図である。
【図１１】照明装置の機能ブロックの構成例を示す図である。
【図１２】ゲートウェイの機能ブロックの構成例を示す図である。
【図１３】照明管理端末の機能ブロックの構成例を示す図である。
【図１４】リモコンの機能ブロックの構成例を示す図である。
【図１５】自照明装置情報テーブルの構成及び内容の例を示す図である。
【図１６】自ＧＷ装置情報テーブルの構成及び内容の例を示す図である。
【図１７】ＧＷ情報テーブルの構成及び内容の例を示す図である。
【図１８】グループ・ゾーン情報テーブルの構成及び内容の例を示す図である。
【図１９】ＧＷメンバー情報テーブルの構成及び内容の例を示す図である。
【図２０】シーン情報テーブルの構成及び内容の例を示す図である。
【図２１】ボタン割当情報テーブルの構成及び内容の例を示す図である。
【図２２】自リモコン情報テーブルの構成及び内容の例を示す図である。
【図２３】（ａ）は、リモコンのボタンが押下されたときに送信されるボタン送信信号の例であり、（ｂ）は、ゲートウェイから照明装置に送信される発光制御信号の例を示す図である。
【図２４】基本情報設定処理のフローチャートである。
【図２５】リモコンのインジケータランプ点滅処理のフローチャートである。
【図２６】照明管理端末のアドレスランプ点滅処理のフローチャートである。
【図２７】テスト再現処理のフローチャートである。
【図２８】シーン再現処理のフローチャートである。
【発明を実施するための形態】
【００２７】
＜実施形態＞
実施形態の照明システムは、複数の照明装置を備え、これら複数の照明装置の個々の発光状態（点灯、消灯、調光率、色、色温度など）を変更して、複数のシーンを再現させることができるものである。シーンを、リモコンのボタンに割り当てることができ、ユーザは、所望するシーンが割り当てられているボタンを押下するだけで、シーンを再現させることが可能である。
【００２８】
また、実施形態の照明システムは、設定装置の一例としてのタブレット型の照明管理端末を備えており、ユーザは、照明管理端末の画面に表示される画像をドラッグ＆ドロップ等することで、容易に、所望のシーンを、リモコンのボタンに割り当てることができる。照明管理端末では、多くのシーンを設定しておくことが可能であり、ユーザは、その中からシーンを選択してリモコンのボタンに割り当てることができる。
【００２９】
＜１．シーンの割り当て＞
図１〜図８を用いて、シーンを、リモコンのボタンに割り当てる方法について説明する。
【００３０】
図１は、リモコン４０００の正面図の例である。リモコン４０００は、ボタン４０１１〜ボタン４０１６の計６つのボタン、リモコン４０００の動作状態を示す第１インジケータランプ４０１７、及び、第２インジケータランプ４０１８を備える。
【００３１】
ボタン４０１１、ボタン４０１２、ボタン４０１３、ボタン４０１４には、それぞれ１シーンが割り当てられ、いずれかのボタンが押下されると、そのボタンに割り当てられたシーンが再現される。ボタン４０１５には、リモコン４０００の操作対象となる照明装置Ｌすべてが、調光率１００％での発光状態であるＯＮシーンが予め割り当てられ、ボタン４０１６には、対象となる照明装置Ｌすべてが、消灯状態であるＯＦＦシーンが予め割り当てられている。
【００３２】
ユーザは、ボタン４０１１〜ボタン４０１４のそれぞれに、所望のシーンを割り当て、ボタンを押下することで、所望のシーンを再現する。
【００３３】
＜１−１．リモコンの登録＞
まず、ユーザは、リモコン４０００を、照明システム１００に登録する。図２に、タブレット型の照明管理端末３０００の入出力部３４００（画面）に表示される、リモコン登録画面３４１０の例を示す。
【００３４】
リモコン登録画面３４１０には、リモコンのアドレス一覧３４１１と、リモコン４０００の識別子の一覧３４１２とが表示される。アドレス一覧３４１１には、これから照明システム１００に登録しようとするリモコンのアドレスが表示され、識別子の一覧３４１２には、照明システム１００におけるリモコンの識別子が表示される。従って、リモコンのアドレスをいずれかの識別子に対応付けると、照明システム１００は、そのアドレスのリモコンをその識別子で認識するようになる。つまり、そのアドレスのリモコンが照明システム１００に登録されたことになる。
【００３５】
アドレス一覧３４１１の各アドレスの左側には、アドレスランプ３４１３が表示される。識別子の一覧３４１２には、リモコン４０００の識別子として、ユーザが容易に認識できるような、例えば、「リモコン１（Ｒ１）」等が表示されている。ハッチングがかけられているアドレスランプ３４１３は、そのアドレスは既にリモコン４０００の識別子に割り当てられていることを示している。また、実施形態では、アドレス一覧３４１１内の１アドレスと、識別子一覧３４１２内の１識別子とが対応付けられた際に、その１識別子の画像内の「会議室１」等のコメントが、対応付けられた１アドレスの画像内に表示される。
【００３６】
このリモコン登録画面３４１０を用いて、ユーザは、リモコンのアドレス一覧３４１１のうちの登録しようとするアドレスの画像を、ドラッギングし、識別子の一覧３４１２のうちの識別子の画像上にドロップする。図２の太線矢印で模式的に示しているドラッグ＆ドロップ操作をユーザが行うと、アドレス一覧３４１１の上から４番目のアドレスのリモコン４０００が、「リモコン２（Ｒ２）」という識別子がふられて、照明システム１００に登録されたことになる。
【００３７】
＜１−２．シーンの割り当て＞
次に、ユーザは、リモコン４０００の各ボタン４０１１〜４０１４に、シーンを割り当てる。図３に、シーンセレクト画面３４２０の例を示す。
【００３８】
シーンセレクト画面３４２０には、画面左から、リモコン４０００のリモコン識別子一覧３４２１、ボタン一覧３４２２、ゾーン一覧３４２３、シーン一覧３４２４が表示され、コピーボタン３４２５が表示される。識別子一覧３４２１として、リモコン登録画面３４１０において照明システム１００に登録されたリモコンの識別子が表示され、ゾーン一覧３４２３として、照明システム１００で管理するゾーンＺの識別子が表示される。ゾーンＺについては、図５を用いて、＜１−３．ゾーン及びグループについて＞の項で説明する。
【００３９】
このシーンセレクト画面３４２０において、ユーザが、リモコン識別子一覧３４２１のうちのいずれかの識別子を選択すると（選択された識別子は、ハッチングがかけられている。）、ボタン一覧３４２２として、ボタン識別子が表示される。ボタン識別子は、選択されたリモコンが備えるボタンの数だけ表示される。そして、ユーザが、ゾーン一覧３４２３のうちのいずれかの識別子を選択すると（選択された識別子は、ハッチングがかけられている。）、シーン一覧３４２４として、ゾーン一覧３４２３で選択されたゾーンＺの識別子が示すゾーンＺに設定されたシーンの識別子が表示される。
【００４０】
ユーザは、シーン一覧３４２４内の１シーン識別子の画像を、ボタン一覧３４２２内の１ボタン識別子の画像にドラッグ＆ドロップすることで、このシーンが、リモコン４０００のボタンと、対応付けられる。図３の太線矢印で模式的に示すドラッグ＆ドロップ操作をユーザが行うと、シーン５が、識別子「リモコン１（Ｒ１）」のリモコンの、識別子「ＳＣＲＮＥ１（Ｂ１）」のボタンに割り当てられたことになる。このように、ユーザは、容易に、シーンをリモコン４０００のボタンに対応付けることができる。つまり、表示された画像をドラッグ＆ドロップするだけで、リモコンのボタンに、シーンを再現する制御信号を対応付けることができる。
【００４１】
また、ユーザが、ボタンにシーンを既に割り当てたリモコン４０００の、複製を作成したい場合には、シーンセレクト画面３４２０のコピーボタン３４２５をタッチする。図４に示すように、ボタン設定コピー画面３４３０が表示される。
【００４２】
ボタン設定コピー画面３４３０は、コピー元リモコン設定領域３４３１、コピー先リモコン設定領域３４３２、及び、決定ボタン３４３３を有する。ユーザは、コピー元リモコン設定領域３４３１に、コピーする元となるリモコン４０００の識別子を選択して表示させる。例えば、コピー元リモコン設定領域３４３１にタッチするとリモコン識別子の一覧が表示され、その中から１つを選択するなどである。また、ユーザは、コピー先リモコン設定領域３４３２に、コピー先となるリモコン４０００の識別子を選択する。例えば、リモコン識別子の一覧がスクロール表示され、その中から１以上を選択するなどである。そして、ユーザは、決定ボタン３４３３をタッチする。図４のボタン設定コピー画面３４３０において、決定ボタン３４３３がタッチされると、識別子「リモコン１（Ｒ１）」のリモコンの各ボタンに割り当てられたシーンが、識別子「リモコン３（Ｒ３）」及び「リモコン４（Ｒ４）」のリモコンの各ボタンに割り当てられる。つまり、ユーザは、リモコンの複製を、容易に作成することができる。
【００４３】
＜１−３．ゾーン及びグループについて＞
ここで、図５を用いて、ゾーンＺ及びグループＧについて説明する。
【００４４】
図５は、照明システム１００を構成する照明装置Ｌの配置例を示す照明装置配置図である。実線の矩形は、照明装置Ｌが配置されている部屋Ａを示す。１重円が照明装置Ｌを示し、円内部には照明装置Ｌの識別子「Ｌ１」等が記載されている。図５では、照明装置Ｌ１、照明装置Ｌ２、・・・、照明装置Ｌ１８（総称するときは、照明装置Ｌという。）が配置されている。ここでは、説明の便宜上、部屋Ａを用いるが、部屋に限らず、照明装置Ｌが設置される空間であればよい。
【００４５】
照明システム１００では、シーンを設定する照明装置Ｌの集合として、ゾーンＺという概念を用いる。つまり、ゾーン毎に、シーンを設定する（図３のゾーン一覧３４２３、シーン一覧３４２４参照）。照明システム１００は、ゾーンＺに含まれる照明装置Ｌを、一括で一斉に制御して、シーンを再現する。例えば、図５において、部屋Ａに設置されている照明装置Ｌは、２点鎖線の矩形で示されたゾーンＺ１とゾーンＺ２という、２つのゾーンＺにまとめられている。図５では、説明の便宜上、ゾーンＺは、部屋Ａを２つに分割した形となっているが、これに限られず、照明装置Ｌの集合であればよく、複数のゾーンＺに含まれる照明装置Ｌがあっても良い。照明システム１００では、照明装置Ｌの配置場所等に応じて、ゾーンＺを柔軟に設定し、様々なシーンを設定することが可能である。
【００４６】
照明システム１００は、ゾーンＺに含まれる照明装置Ｌそれぞれの発光状態を変更することで、シーンを再現する。シーンを設定する場合、照明システム１００では、グループＧという概念を用いる。グループＧは、ゾーンＺに含まれる照明装置Ｌの集合を示す。つまり、シーンを設定する場合、ゾーンＺに含まれる照明装置Ｌそれぞれの発光状態を設定することになるが、同じ発光状態に変更するものは、１つのグループＧとしてまとめて設定を容易にする。グループＧは、任意の数の任意の照明装置Ｌを集めたものであり、グループＧに含まれない照明装置Ｌがあっても良い。また、複数のグループＧに含まれる照明装置Ｌがあっても良い。例えば、図５において、ゾーンＺ１には、一点鎖線の矩形で示されたグループＧ１１、グループＧ１２、グループＧ１３の３つのグループが作成され、ゾーンＺ２には、グループＧ２１の１つのグループが作成されている。
【００４７】
ユーザは、ゾーンＺ単位でシーンを設定することができ、１シーンごとに、そのゾーンＺを構成するグループＧごとの発光状態を設定する。
【００４８】
＜１−４．シーンとボタンとの対応例＞
シーンのボタンへの割り当て例を、図６〜図８を用いて説明する。
【００４９】
図６は、部屋Ａ１０に配置されている照明装置Ｌ（不図示）すべてを、１つのゾーンＺ１０として、シーンを設定する例である。例えば、部屋Ａ１０は、事務室であり、円は椅子を示し、矩形は机を示す。部屋Ａ１０には、机が３つずつ対向した６つの机の島が、２つ形成されている。向かって左側の島机を照らす照明装置ＬをまとめてグループＧ１０１とし、向かって右側の島机を照らす照明装置ＬをまとめてグループＧ１０２として、ゾーンＺ１０に２つのグループを設定する。
【００５０】
例えば、シーンＳ１として、グループＧ１０１、及び、グループＧ１０２に調光率１００％での発光状態を設定し、シーンＳ２として、グループＧ１０１、及び、グループＧ１０２に調光率０％での発光状態（消灯状態）を設定し、シーンＳ３として、グループＧ１０１のみに調光率１００％での発光状態を設定し、シーンＳ４として、グループＧ１０２のみに調光率１００％での発光状態を設定する。そして、図６の右側の、ボタンＩＤ２８１３とシーンＩＤ２８１５との対応表に示すように、リモコン４０００−１、リモコン４０００−２、リモコン４０００−３、リモコン４０００−４のそれぞれのボタンＢ１〜Ｂ４に、それぞれシーンＳ１〜Ｓ４を割り当てる。尚、ここでは、説明の便宜上、シーンを設定する場合、１つのグループＧの発光状態のみを変更させることとしているが、複数のグループＧを作成してそれぞれ発光状態を変更することとしてももちろん良い。
【００５１】
この場合、ユーザは、部屋Ａ１０全体の照明装置Ｌ（不図示）を点灯させる場合は、リモコン４０００のボタンＢ１を押下すればよく、部屋Ａ１０全体の照明装置Ｌを消灯させる場合は、ボタンＢ２を押下すればよい。また、向かって左側の島机を照らす照明装置Ｌのみを点灯させる場合には、ボタンＢ３を押下すればよく、向かって右側の島机を照らす照明装置Ｌのみを点灯させる場合には、ボタンＢ４を押下すればよい。また、４つのリモコン４０００−１〜４それぞれのボタンＢ１〜Ｂ４に、それぞれ同じシーンＳ１〜Ｓ４を割り当てておくことで、いずれのリモコン４０００を用いても、同じように部屋Ａの照明装置Ｌのシーンを再現することが可能となる。
【００５２】
図７は、部屋Ａ２０に配置されている照明装置Ｌすべてを、１つのゾーンＺ２０とし、照明装置Ｌを６つのグループＧに分けてシーンを設定する例である。例えば、部屋Ａ２０は、打ち合わせを行う部屋であり、パーティションＰで区切られて６つの打ち合わせコーナーが作られているものとする。白抜き円は椅子を示し、ハッチングのかかった円は机を示す。６つの打ち合わせコーナーそれぞれを照明する照明装置Ｌそれぞれで、グループＧ２０１〜グループＧ２０６を設定する。
【００５３】
例えば、シーンＳ１として、グループＧ２０１に調光率１００％での発光状態を設定し、他のグループＧは現状維持と設定する。また、シーンＳ２として、グループＧ２０２に調光率１００％での発光状態を設定し、他のグループＧは現状維持と設定し、シーンＳ３として、グループＧ２０３に調光率１００％での発光状態を設定し、他のグループＧは現状維持と設定し、シーンＳ４として、グループＧ２０４に調光率１００％での発光状態を設定し、他のグループＧは現状維持と設定し、シーンＳ５として、グループＧ２０５に調光率１００％での発光状態を設定し、他のグループＧは現状維持と設定し、シーンＳ６として、グループＧ２０６に調光率１００％での発光状態を設定し、他のグループＧは現状維持と設定する。そして、グループＧ２０１の照明装置Ｌが照明する打ち合わせコーナーに置かれたリモコン４０００−１のボタンＢ１に、シーンＳ１を割り当てる。同様に、グループＧ２０２の照明装置Ｌが照明する打ち合わせコーナーに置かれたリモコン４０００−２のボタンＢ１に、シーンＳ２を割り当てる。グループＧ２０３の照明装置Ｌが照明する打ち合わせコーナーに置かれたリモコン４０００−３のボタンＢ１に、シーンＳ３を割り当て、グループＧ２０４の照明装置Ｌが照明する打ち合わせコーナーに置かれたリモコン４０００−４のボタンＢ１に、シーンＳ４を割り当て、グループＧ２０５の照明装置Ｌが照明する打ち合わせコーナーに置かれたリモコン４０００−５のボタンＢ１に、シーンＳ５を割り当て、グループＧ２０６の照明装置Ｌが照明する打ち合わせコーナーに置かれたリモコン４０００−６のボタンＢ１に、シーンＳ６を割り当てる。
【００５４】
この場合、ユーザは、いずれの打ち合わせコーナーにおいても、その打ち合わせコーナーに置かれているリモコン４０００のボタンＢ１を押下すれば、その打ち合わせコーナーを照らすための照明装置Ｌを点灯させることができる。ユーザは、どのコーナーにいるかを意識せずに、自分のいるコーナーに設置されたリモコン４０００を使用して、照明を操作することが可能となる。
【００５５】
図８は、部屋Ａ３０に配置されている照明装置Ｌ（不図示）を、ゾーンＺ３０とゾーンＺ３１との２つのゾーンＺを作成し、それぞれのゾーンＺでシーンを設定する例である。例えば、部屋Ａ３０は、会議室であり、円は椅子を示し、角丸の長方形は会議机を示す。部屋Ａ３０には、それぞれ６つの椅子を備えた２つの会議机が設置されている。向かって上側の会議机を照明する照明装置ＬをまとめてゾーンＺ３０とし、向かって下側の会議机を照明する照明装置ＬをまとめてゾーンＺ３１とする。ゾーンＺ３０に含まれる照明装置ＬをまとめてグループＧ３０１を設定し、ゾーンＺ３１に含まれる照明装置ＬをまとめてグループＧ３１１を設定する。
【００５６】
例えば、ゾーンＺ３０のシーンＳ１として、グループＧ３０１に調光率１００％での発光状態を設定し、シーンＳ２として、グループＧ３０１に調光率０％での発光状態（消灯状態）を設定する。また、ゾーンＺ３１のシーンＳ１として、グループＧ３１１に調光率１００％での発光状態を設定し、シーンＳ２として、グループＧ３１１に調光率０％での発光状態（消灯状態）を設定する。そして、ボタンＩＤ２８１３とシーンＩＤ２８１５との対応表に示すように、リモコン４０００−１のボタンＢ１及びＢ２に、ゾーンＺ３０のシーンＳ１を、ボタンＢ３及びＢ４に、ゾーンＺ３０のシーンＳ２を割り当てる。また、リモコン４０００−２のボタンＢ１及びＢ２に、ゾーンＺ３１のシーンＳ１を、ボタンＢ３及びＢ４に、ゾーンＺ３１のシーンＳ２を割り当てる。
【００５７】
この場合、ユーザは、上側の会議机を使用する場合は、会議室に配置されたリモコン４０００−１のボタンＢ１又はＢ２を押下して、会議机を照明する照明装置Ｌを点灯させ、ボタンＢ３又はＢ４を押下して、会議机を照明する照明装置Ｌを消灯させる。また、下側の会議机を使用する場合は、会議室に配置されたリモコン４０００−２のボタンＢ１又はＢ２を押下して、会議机を照明する照明装置Ｌを点灯させ、ボタンＢ３又はＢ４を押下して、会議机を照明する照明装置Ｌを消灯させる。リモコン４０００のいずれのボタンを押下しても、ゾーンＺが異なる下の会議机を照明する照明装置Ｌの発光状態を変化させることはない。このように、ゾーンＺを作成することで、容易に、リモコンのボタンの操作が互いに影響を及ぼさないようにすることが可能となる。
【００５８】
以下、本発明にかかる実施の一形態を説明する。
【００５９】
＜２．構成＞
＜２−１．全体構成＞
まず、照明システム１００の全体構成を説明する。図９は、照明システム１００の全体構成例を示す図である。２重円が制御装置の一例としてのゲートウェイＧＷを示し、円内部にはゲートウェイＧＷの識別子「ＧＷ１」等が記載されている。１重円は、照明装置Ｌを示し、円内部には照明装置Ｌの識別子「Ｌ１」等が記載されている。点線は、無線通信を示す。
【００６０】
照明システム１００は、照明装置Ｌ１、照明装置Ｌ２、・・・、照明装置Ｌ１８、ゲートウェイＧＷ１、ゲートウェイＧＷ２、・・・、ゲートウェイＧＷ６（総称するときは、ゲートウェイＧＷという。）、照明管理端末３０００、リモコン４０００、ＨＵＢ１、及び、ネットワーク２を備える。尚、照明装置Ｌ、ゲートウェイＧＷ、照明管理端末３０００、リモコン４０００の個数は、これらの数に限られない。
【００６１】
照明システム１００を構成する機器は、１つのネットワークＩＤ（ネットワーク識別子）により、破線の矩形で示す１つの論理的なネットワークを構成している。図９に示すように、照明システム１００は、ネットワーク識別子「Ｎｅｔ１」により、１つのネットワークを構成する。
【００６２】
尚、照明システム１００は、ネットワーク識別子「Ｎｅｔ２」により、ゲートウェイＧＷ７、ゲートウェイＧＷ８を含む他の１つの論理的なネットワーク（照明装置Ｌは不図示）を有することとしても良い。この場合、照明システム１００内において、ネットワーク識別子「Ｎｅｔ１」を備える機器は、同じネットワーク識別子「Ｎｅｔ１」を備える機器とのみ通信を行い、他のネットワーク識別子「Ｎｅｔ２」を備える機器とは、通信を行わない。
【００６３】
このように管理することによって、例えば、３階建てのビルの場合には、照明装置Ｌを各階ごとに別のネットワークとして、それぞれの階の照明装置Ｌを独自に制御することが可能となる。
【００６４】
以下、照明システム１００とは、ネットワーク識別子「Ｎｅｔ１」のネットワークを指すものとして説明する。
【００６５】
ＨＵＢ１は、ネットワークケーブルを集約するネットワーク機器であり、データを中継するいわゆるハブである。
【００６６】
ネットワーク２は、照明システム１００の運用者等により管理されているネットワークであり、有線、無線を問わないが、実施形態では、有線ネットワークとする。
【００６７】
ゲートウェイＧＷは、照明システム１００内の情報を記憶し、照明装置Ｌを制御する制御装置であり、例えば、天井に複数個設置されている。ゲートウェイＧＷは、ネットワーク２、及び、ＨＵＢ１を介して、他のゲートウェイＧＷと接続される。また、ゲートウェイＧＷは、照明装置Ｌと無線により接続され、照明装置Ｌに対して発光状態を制御する信号（発光制御信号）を送信する。ゲートウェイＧＷと照明装置Ｌとは、例えば、無線ＬＡＮ（Ｌｏｃａｌ  Ａｒｅａ  Ｎｅｔｗｏｒｋ）規格での通信を行う。
【００６８】
ゲートウェイＧＷから送信される信号の到達範囲は限られている。例えば、ゲートウェイＧＷ２の通信可能範囲を、二点鎖線の円３で示す。従って、照明システム１００が管理すべき照明装置Ｌの全てが、いずれかのゲートウェイＧＷの通信可能範囲に入るように、ゲートウェイＧＷが配置されているものとする。照明装置Ｌそれぞれは、いずれかのゲートウェイＧＷの制御下に置かれる。照明装置Ｌは、自照明装置が制御されているゲートウェイＧＷから、発光制御信号を受信し、発光状態を変更する。尚、ゲートウェイＧＷの通信可能範囲は互いに重なる部分があることから、複数のゲートウェイＧＷと通信可能な照明装置Ｌが存在することになるが、予め定められた法則の下、いずれか１つのゲートウェイＧＷに制御されるように調整されるものとする。予め定められた法則とは、例えば、照明装置Ｌを最初に検知したゲートウェイＧＷが制御下に置き、その後、例えば、各ゲートウェイＧＷが制御する照明装置Ｌの数が略同一となるように振り分けるなどである。図９では、照明装置Ｌ１、照明装置Ｌ２、照明装置Ｌ３は、ゲートウェイＧＷ１に制御されることになる。
【００６９】
尚、図１０に示すように、１つのゲートウェイＧＷから送信される信号の到達範囲（２点鎖線の円３３）内に、１つのネットワーク識別子（一例として「Ｎｅｔ３」）によるネットワークで管理すべき照明装置Ｌ２１〜Ｌ３８の全てが入る場合には、１つのゲートウェイＧＷを用いても良い。
【００７０】
照明管理端末３０００は、いわゆるタブレット端末装置である。いずれかのゲートウェイＧＷと接続された際に、照明システム１００内の照明装置Ｌ、ゲートウェイＧＷ、シーン等に関する情報がゲートウェイＧＷからダウンロードされ、その後、ユーザによってこれら情報の追加、更新、削除等がなされる。ユーザにより追加、更新、削除等がなされた情報は、接続されたゲートウェイＧＷから、ＨＵＢ１及びネットワーク２を介して、他の全てのゲートウェイＧＷに送信される。つまり、ゲートウェイＧＷは、互いに同じ情報を記憶していることになる。
【００７１】
また、照明管理端末３０００を介して、ユーザは、照明装置Ｌを制御することができる。例えば、照明管理端末３０００の画面に表示されたアイコンを操作する等して、所定のシーンを再現させる、個々の照明装置Ｌの発光状態を変更させるなどが可能である。
【００７２】
照明管理端末３０００は、図９ではゲートウェイＧＷ３と接続しているが、いずれのゲートウェイＧＷとも無線ＬＡＮ等により接続が可能である。また、いずれのゲートウェイＧＷも、上述のように同じ情報を記憶しているため、照明管理端末３０００は、いずれかのゲートウェイＧＷと接続すると、照明システム１００内の照明装置Ｌ、ゲートウェイＧＷ、シーン等に関する最新の情報をダウンロードできる。従って、ユーザは、いずれかのゲートウェイＧＷと接続可能であれば、照明システム１００内のネットワーク等の情報を、最新の情報を参照しながら設定することが可能となる。
【００７３】
リモコン４０００は、図１を用いて説明したような、いわゆるリモコンである。リモコン４０００は、図９ではゲートウェイＧＷ６と接続しているが、いずれのゲートウェイＧＷとも無線ＬＡＮ等により接続が可能である。また、ユーザにより押下されたボタンの情報は、接続中のゲートウェイＧＷから、ＨＵＢ１及びネットワーク２を介して、他の全てのゲートウェイＧＷに送信される。従って、ユーザは、いずれかのゲートウェイＧＷと接続可能な位置からボタンを押下すれば、離れた場所の照明装置Ｌによるシーンを再現することが可能となる。尚、リモコン４０００は内蔵する電池で動作するため、省電力で動作する通信規格、例えば、ＩＥＥＥ８０２．１５．４等を用いることが望ましい。
【００７４】
上述したように、ユーザは、いずれかのゲートウェイＧＷと接続できる場所であれば、照明管理端末３０００を用いて、照明システム１００内のネットワークやシーン等の設定が可能であり、リモコン４０００を用いて照明システム１００内におけるシーンを再現することが可能である。
【００７５】
＜２−２．照明装置Ｌの機能ブロック＞
図１１は、照明装置Ｌの機能ブロックの構成例を示す図である。照明装置Ｌは、照明制御部１１００、無線通信部１２００、ＬＥＤ１３００、及び、自照明装置情報記憶部１４００を備える。
【００７６】
無線通信部１２００は、ゲートウェイＧＷと無線通信（破線矢印）を行う機能を有する。
【００７７】
ＬＥＤ１３００は、発光ダイオードを使用した光源である。
【００７８】
照明制御部１１００は、ゲートウェイＧＷからの発光制御信号に基づき、ＬＥＤ１３００の発光状態の制御を行う機能等を有する。
【００７９】
自照明装置情報記憶部１４００は、自装置に関する情報を記憶する。例えば、自装置のアドレスとして、ＭＡＣ（Ｍｅｄｉａ  Ａｃｃｅｓｓ  Ｃｏｎｔｒｏｌ）アドレスを記憶する。
【００８０】
具体的には、照明制御部１１００は、無線通信部１２００を介して、ゲートウェイＧＷから発光制御信号を受信した場合には、受信した発光制御信号が自装置宛である場合には、発光制御信号に応じてＬＥＤ１３００を制御する。発光制御信号の例を図２３（ｂ）に示す。この発光制御信号には、ＬＥＤ宛先として照明装置Ｌのアドレス「Ｌ１−Ａｄｄｒ」、制御命令として「調光率５０％」のデータが含まれる。自装置のアドレスが「Ｌ１−Ａｄｄｒ」である照明装置Ｌ１は、この発光制御信号を、無線通信部１２００を介して受信すると、発光状態の変更として、調光率が５０％となるようにＬＥＤ１３００を調光する。
【００８１】
また、照明制御部１１００は、電源がＯＮにされると、自照明装置情報記憶部１４００から自装置のアドレスを読み出して、照明システム１００への登録を行うために、読み出したアドレスを全方位に送信する。照明装置Ｌからのアドレスを受信したゲートウェイＧＷは、受信したアドレスを新規の照明装置Ｌのアドレスとして記憶し、他のゲートウェイＧＷにも通知する。新規の照明装置Ｌのアドレスは、照明管理端末３０００によりダウンロードされて、ユーザにより登録がなされる。尚、照明制御部１１００は、アドレスを受信した旨の通知をゲートウェイＧＷから受信すると、自装置のアドレスの送信を停止する。
【００８２】
＜２−３．ゲートウェイＧＷの機能ブロック＞
図１２は、ゲートウェイＧＷの機能ブロックの構成例を示す図である。ゲートウェイＧＷｘは、ゲートウェイＧＷと異なる他のゲートウェイＧＷを示す。
【００８３】
ゲートウェイＧＷは、ＧＷ制御部２１００、有線通信部２２００、無線通信部２３００、リモコン通信部２４００、タイマー２５００、ネットワーク情報記憶部２６００、シーン情報記憶部２７００、及び、リモコン割当情報記憶部２８００を備える。
【００８４】
ＧＷ制御部２１００は、他の機能部を制御して、他のゲートウェイＧＷとの通信処理や、照明装置Ｌの発光状態を制御する処理等を行う機能を有する。例えば、ＧＷ制御部２１００は、リモコン通信部２４００が、リモコン４０００からリモコン４０００が備えるボタンが押下された場合に送信されるボタン情報を受信した場合に、後述のネットワーク情報記憶部２６００、シーン情報記憶部２７００、及び、リモコン割当情報記憶部２８００に記憶されているデータを参照し、この受信したボタン情報に対応づけて記憶されている制御信号を各照明装置に送信する。
【００８５】
有線通信部２２００は、ＨＵＢ１を介して、他のゲートウェイＧＷｘと通信する機能を有する。
【００８６】
無線通信部２３００は、自ゲートウェイＧＷの制御下にある照明装置Ｌ、及び、照明管理端末３０００と無線通信する機能を有する。
【００８７】
リモコン通信部２４００は、リモコン４０００と無線通信する機能を有する。
【００８８】
タイマー２５００は、いわゆるタイマーであり、他のゲートウェイＧＷ等と周期的に動作確認等の通信を行うための周期時間のカウントや、タイムスケジュールに合わせて発光状態を変更する場合のタイマーとして用いられる。
【００８９】
ネットワーク情報記憶部２６００は、照明システム１００が管理するネットワークの情報を記憶する。例えば、ゲートウェイＧＷのアドレス、照明装置Ｌのアドレス、ゾーンＺの数、ゾーンＺを構成するグループＧ、グループＧを構成する照明装置Ｌなどを、記憶する。
【００９０】
シーン情報記憶部２７００は、照明システム１００におけるシーンを再現するための情報を記憶する。例えば、ゾーンＺ１がグループＧ１１、グループＧ１２、グループＧ１３で構成される場合、ゾーンＺ１のシーン１は、グループＧ１１を構成する照明装置Ｌの調光率が５０％で、グループＧ１２を構成する照明装置Ｌの調光率が１００％で、グループＧ１３を構成する照明装置Ｌの調光率が５０％である等を記憶する。
【００９１】
リモコン割当情報記憶部２８００は、リモコン４０００のボタン４０１１〜ボタン４０１６の各ボタンに、いずれのシーンが割り当てられているかを記憶する。例えば、リモコン４０００のボタン４０１１に、ゾーンＺ１のシーン１が割り当てられている等である。
【００９２】
ネットワーク情報記憶部２６００、シーン情報記憶部２７００、及び、リモコン割当情報記憶部２８００に記憶されているデータについては、＜３．データ＞の項で説明する。
【００９３】
＜２−４．照明管理端末３０００の機能ブロック＞
図１３は、照明管理端末３０００の機能ブロックの構成例を示す図である。ゲートウェイＧＷｘ、及び、ゲートウェイＧＷｙは、それぞれ異なるゲートウェイＧＷを示す。
【００９４】
照明管理端末３０００は、照明管理制御部３１００、無線通信部３２００、シーン割当部３３００、及び、入出力部３４００を備える。
【００９５】
照明管理制御部３１００は、他の機能部を制御して、ゾーンＺ、グループＧなどの設定処理、シーンのリモコン４０００のボタンへの割当処理等を行う機能を有する。
【００９６】
無線通信部３２００は、ゲートウェイＧＷｘと無線通信を行う機能を有する。無線通信部３２００は、一例としてＩＤ受信手段、及び、ＩＤ送信手段として機能する。
【００９７】
シーン割当部３３００は、シーンをリモコン４０００のボタンに割り当てる機能を有する。具体的には、入出力部３４００の表示部にシーンを割り当てるための画面を表示し、シーンをボタンに割り当てるためのユーザ操作を受け付ける。そして、シーンとボタンとを対応付けるデータをゲートウェイＧＷに送信する。詳細は、＜４−３．ボタン割当情報の作成処理＞の項で説明する。シーン割当部３３００は、一例として対応指示手段、割当手段、テスト送信手段、として機能する。
【００９８】
入出力部３４００は、いわゆるマンマシンインタフェース部であり、表示部と入力部とで構成される。表示部は、各記憶部に記憶されているデータや、プログラムによるＧＵＩ（Ｇｒａｐｈｉｃａｌ  Ｕｓｅｒ  Ｉｎｔｅｒｆａｃｅ）等を出力する機器であり、例えば、ＬＣＤ（Ｌｉｑｕｉｄ  Ｃｒｙｓｔａｌ  Ｄｉｓｐｌａｙ）ディスプレイ、有機ＥＬ（Ｅｌｅｃｔｒｏ  Ｌｕｍｉｎｅｓｃｅｎｃｅ）ディスプレイ等の表示装置である。
【００９９】
入力部は、さまざまな操作指示を照明管理端末３０００に入力する機器、例えば、キーボード、マウス等である。
【０１００】
実施形態では、入出力部３４００は、表示部及び入力部から構成されるタッチパネルである。このタッチパネルを構成する場合においては、入力部は、例えば抵抗膜方式や静電容量方式等の操作位置を検出して入力する位置入力装置である。このタッチパネルでは、表示装置（表示部）の表示面上に、位置入力装置（入力部）が設けられる。まず、表示装置に、照明管理端末３０００に入力可能な１または複数の入力内容の候補が画像で表示される。そして、ユーザが、入力したい入力内容を表示した表示位置を触れると、位置入力装置によってその位置が検出され、検出された位置に表示されている内容が、ユーザの操作入力内容として照明管理端末３０００に入力される。
【０１０１】
＜２−５．リモコン４０００の機能ブロック＞
次に、図１４は、リモコン４０００の機能ブロックの構成例を示す図である。照明装置Ｌｎ、及び、照明装置Ｌｍは、それぞれ異なる照明装置Ｌを示す。
【０１０２】
リモコン４０００は、リモコン制御部４１００、無線通信部４２００、入力部４３００、及び、自リモコン情報記憶部４４００を備える。
【０１０３】
リモコン制御部４１００は、他の機能部を制御して、ユーザ操作をゲートウェイＧＷに送信する処理等を行う機能を有する。
【０１０４】
無線通信部４２００は、ゲートウェイＧＷｘと無線通信を行う機能を有する。
【０１０５】
入力部４３００は、ボタン４０１１〜ボタン４０１６を含み、ユーザ操作、つまり、ボタンが押下されたことを検出する機能を有する。
【０１０６】
自リモコン情報記憶部４４００は、自装置に関する情報を記憶する。例えば、自装置のアドレスとして、ＭＡＣアドレスを記憶する。
【０１０７】
入力部４３００がボタンの押下を検出すると、検出されたボタンの識別子は、無線通信部４２００を介してゲートウェイＧＷｘに送信され、ゲートウェイＧＷｘは、ボタンに対応付けられているシーンの識別子を検出する。そして、検出されたシーンの識別子は、ゲートウェイＧＷｘからＨＵＢ１を介して、他の全ゲートウェイＧＷｙに送信される。各ゲートウェイＧＷは、受信したシーンの識別子に応じて、自ゲートウェイＧＷの制御下にある照明装置Ｌｎ、照明装置Ｌｍの発光状態を制御し、シーンを再現する。
【０１０８】
ボタンの識別子をゲートウェイＧＷに送信するためのボタン送信信号の例を図２３（ａ）に示す。このボタン送信信号には、リモコンＩＤとして自リモコンのアドレス「Ｒ１−Ａｄｄｒ」、ボタンＩＤとして押下されたボタンの識別子「Ｂ１」、ネットワークＩＤとして自リモコンが属しているネットワーク識別子「Ｎｅｔ１」のデータが含まれる。
【０１０９】
実施形態の照明管理端末３０００、ゲートウェイＧＷ、及び、リモコン４０００はそれぞれ、上述のように、コンピュータを用いて構成可能であり、ハードディスク等の記憶部（不図示）に格納されているソフトウェアを、ＣＰＵにより実行することによって上述の各機能部がコンピュータ上に実現される。尚、機能部の一部は、ハードウェアで実現されていてもよい。
【０１１０】
＜３．データ＞
以下、照明システム１００で用いる主なデータについて、図１５〜図２２を用いて説明する。
【０１１１】
＜３−１．自照明装置情報テーブル１４１０＞
図１５は、自照明装置情報テーブル１４１０の構成及び内容の例を示す図である。自照明装置情報テーブル１４１０は、照明装置Ｌの自照明装置情報記憶部１４００（図１１参照）に記憶されている。この自照明装置情報テーブル１４１０は、照明装置Ｌ自身の情報を管理するためのテーブルであり、１つの情報が、１レコード（１行）として登録されている。
【０１１２】
自照明装置情報テーブル１４１０は、項目１４１１、及び、内容１４１２を有する。
【０１１３】
項目１４１１は、自装置に関する情報の項目を示す。「自照明装置アドレス」は、自装置のアドレスを示す。このアドレスは、予め設定されているものとする。「ネットワークＩＤ」は、自装置が属しているネットワークの識別子を示す。ネットワークＩＤは、ユーザが照明管理端末３０００を用いて照明装置Ｌを照明システム１００に登録した際に、照明管理端末３０００から通知され、照明制御部１１００によって記憶される。
【０１１４】
内容１４１２は、項目１４１１が示す項目の内容を示す。例えば、項目１４１１が「自照明装置アドレス」の内容１４１２として「Ｌ１−Ａｄｄｒ」が設定されているので、この自照明装置情報テーブル１４１０を記憶している照明装置Ｌのアドレスは「Ｌ１−Ａｄｄｒ」であることになる。従って、照明制御部１１００は、宛先として「Ｌ１−Ａｄｄｒ」が設定されたデータを受信した場合、そのデータは、自装置宛のデータであると判断する。
【０１１５】
＜３−２．自ＧＷ装置情報テーブル２６１０＞
図１６は、自ＧＷ装置情報テーブル２６１０の構成及び内容の例を示す図である。自ＧＷ装置情報テーブル２６１０は、ゲートウェイＧＷのネットワーク情報記憶部２６００（図１２参照）に記憶されている。この自ＧＷ装置情報テーブル２６１０は、ゲートウェイＧＷ自身の情報を管理するためのテーブルであり、１つの情報が、１レコード（１行）として登録されている。
【０１１６】
自ＧＷ装置情報テーブル２６１０は、項目２６１１、及び、内容２６１２を有する。
【０１１７】
項目２６１１は、自装置に関する情報の項目を示す。「自ＧＷ装置アドレス」は、自装置のアドレスを示し、予め設定されているものとする。「ネットワークＩＤ」は、自装置が属しているネットワークの識別子を示す。ネットワーク識別子は、ユーザが照明管理端末３０００を用いてゲートウェイＧＷを照明システム１００に登録した際に、照明管理端末３０００から通知され、ＧＷ制御部２１００によって記憶される。
【０１１８】
内容２６１２は、項目２６１１が示す項目の内容を示す。
【０１１９】
＜３−３．ＧＷ情報テーブル２６２０＞
図１７は、ＧＷ情報テーブル２６２０の構成及び内容の例を示す図である。ＧＷ情報テーブル２６２０は、ゲートウェイＧＷのネットワーク情報記憶部２６００（図１２参照）に記憶されている。このＧＷ情報テーブル２６２０は、照明システム１００内の、つまり、ネットワーク識別子が「Ｎｅｔ１」のネットワークに含まれるゲートウェイＧＷとそのアドレスを記憶するためのテーブルである。ゲートウェイＧＷごとに、１レコード（１行）が登録されている。
【０１２０】
ＧＷ情報テーブル２６２０は、ネットワークＩＤ２６２１、ＧＷ−ＩＤ２６２２、及び、ＧＷアドレス２６２３を有する。
【０１２１】
ネットワークＩＤ２６２１は、本テーブルが管理するゲートウェイＧＷが含まれるネットワークを特定するための識別子を示す。
【０１２２】
ＧＷ−ＩＤ２６２２は、ネットワークＩＤ２６２１が示すネットワークに含まれるゲートウェイＧＷの識別子を示す。
【０１２３】
ＧＷアドレス２６２３は、ＧＷ−ＩＤ２６２２が示すゲートウェイＧＷのアドレスを示す。
【０１２４】
＜３−４．グループ・ゾーン情報テーブル２６４０＞
図１８は、グループ・ゾーン情報テーブル２６４０の構成及び内容の例を示す図である。グループ・ゾーン情報テーブル２６４０は、ゲートウェイＧＷのネットワーク情報記憶部２６００（図１２参照）に記憶されている。このグループ・ゾーン情報テーブル２６４０は、ゾーンＺごとに、各ゾーンＺに含まれるグループＧ（図５参照）、及び、グループＧに含まれる照明装置Ｌを記憶するためのテーブルである。ゾーンＺのグループＧに含まれる照明装置Ｌごとに、１レコード（１行）が登録されている。
【０１２５】
グループ・ゾーン情報テーブル２６４０は、ゾーンＩＤ２６４１、グループＩＤ２６４２、及び、ＬＥＤ−ＩＤ２６４３を有する。
【０１２６】
ゾーンＩＤ２６４１は、ゾーンＺを特定するための識別子を示す。
【０１２７】
グループＩＤ２６４２は、ゾーンＩＤ２６４１が示すゾーンＺを構成するグループＧの識別子を示す。
【０１２８】
ＬＥＤ−ＩＤ２６４３は、グループＩＤ２６４２が示すグループＧの制御下にある照明装置Ｌの識別子を示す。
【０１２９】
＜３−５．ＧＷメンバー情報テーブル２６３０＞
図１９は、ＧＷメンバー情報テーブル２６３０の構成及び内容の例を示す図である。ＧＷメンバー情報テーブル２６３０は、ゲートウェイＧＷのネットワーク情報記憶部２６００（図１２参照）に記憶されている。このＧＷメンバー情報テーブル２６３０は、ゲートウェイＧＷに制御される、つまり、ゲートウェイＧＷと現在接続している照明装置Ｌを記憶するためのテーブルである。ゲートウェイＧＷの照明装置Ｌごとに、１レコード（１行）が登録されている。
【０１３０】
ＧＷメンバー情報テーブル２６３０は、ＧＷ−ＩＤ２６３１、ＬＥＤ−ＩＤ２６３２、及び、Ｌアドレス２６３３を有する。
【０１３１】
ＧＷ−ＩＤ２６３１は、ゲートウェイＧＷを特定するための識別子を示す。
【０１３２】
ＬＥＤ−ＩＤ２６３２は、ＧＷ−ＩＤ２６３１が示すゲートウェイＧＷの制御下にある照明装置Ｌの識別子を示す。
【０１３３】
Ｌアドレス２６３３は、ＬＥＤ−ＩＤ２６３２が示す照明装置Ｌのアドレスを示す。
【０１３４】
＜３−６．シーン情報テーブル２７１０＞
次に、図２０は、シーン情報テーブル２７１０の構成及び内容の例を示す図である。シーン情報テーブル２７１０は、ゲートウェイＧＷのシーン情報記憶部２７００（図１２参照）に記憶されている。このシーン情報テーブル２７１０は、ゾーンＺごとに、各ゾーンＺのシーンを記憶し、１シーンを再現するための照明装置Ｌの発光状態を、グループＧごとに記憶しておくテーブルである。１ゾーンの１シーンの１グループＧごとの動作が、１レコード（１行）として登録されている。
【０１３５】
シーン情報テーブル２７１０は、ゾーンＩＤ２７１１、シーンＩＤ２７１２、グループＩＤ２７１３、及び、動作内容２７１４を有する。
【０１３６】
ゾーンＩＤ２７１１は、ゾーンＺを特定するための識別子を示す。
【０１３７】
シーンＩＤ２７１２は、ゾーンＩＤ２７１１が示すゾーンＺで再現するシーンを特定するための識別子を示す。実施形態では、ゾーン識別子とシーン識別子とで、１つのシーンを特定することになる。
【０１３８】
グループＩＤ２７１３は、ゾーンＩＤ２７１１が示すゾーンＺを構成するグループＧの識別子を示す。
【０１３９】
動作内容２７１４は、グループＩＤ２７１３が示すグループＧに含まれる照明装置Ｌの発光状態を示す。
【０１４０】
例えば、ゾーンＩＤ２７１１が「Ｚ１」、シーンＩＤ２７１２が「Ｓ１」、グループＩＤ２７１３が「Ｇ１１」、動作内容２７１４が「調光率１００％」の場合、ゾーン識別子が「Ｚ１」のゾーンＺで、シーン識別子が「Ｓ１」のシーンを再現する際には、グループ識別子が「Ｇ１１」のグループＧに含まれる照明装置Ｌは、その調光率を１００％にする。また、動作内容２７１４の「現状維持」は、現在の発光状態を変化させないことを意味する。
【０１４１】
＜３−７．ボタン割当情報テーブル２８１０＞
次に、図２１は、ボタン割当情報テーブル２８１０の構成及び内容の例を示す図である。ボタン割当情報テーブル２８１０は、ゲートウェイＧＷのリモコン割当情報記憶部２８００（図６参照）に記憶されている。このボタン割当情報テーブル２８１０は、リモコン４０００ごとに、ボタンに割り当てられているシーンを記憶するためのテーブルである。リモコン４０００のボタンごとに、１レコード（１行）が登録されている。
【０１４２】
ボタン割当情報テーブル２８１０は、リモコンＩＤ２８１１、Ｒアドレス２８１２、ボタンＩＤ２８１３、ゾーンＩＤ２８１４、及び、シーンＩＤ２８１５を有する。
【０１４３】
リモコンＩＤ２８１１は、リモコン４０００を特定するための識別子を示す。
【０１４４】
Ｒアドレス２８１２は、リモコンＩＤ２８１１が示すリモコン４０００のアドレスを示す。
【０１４５】
ボタンＩＤ２８１３は、リモコンＩＤ２８１１が示すリモコン４０００が備えるボタンを特定するための識別子を示す。実施形態では、シーンを割り当てることができるボタンは、４つであるとする。
【０１４６】
ゾーンＩＤ２８１４は、リモコンＩＤ２８１１が示すリモコン４０００がシーンを変更するゾーンＺを特定するための識別子を示す。
【０１４７】
シーンＩＤ２８１５は、ボタンＩＤ２８１３が示すボタンに割り当てられたシーンを特定するための識別子を示す。実施形態では、このシーン識別子は、ゾーンＺごとに、例えば、１から昇順の番号として振られる。つまり、複数のゾーンＺに同じシーン識別子が振られる場合もある。従って、実施形態では、ゾーンＩＤ２８１４が示すゾーン識別子と、シーンＩＤ２８１５が示すシーン識別子によって、１つのシーンが特定されることになる。
【０１４８】
リモコン４０００が１つのゾーンＺに配置され、そのゾーンＺに配置されている照明装置Ｌの発光状態を変更してシーンを再現するために用いられるものである場合には、例えば、ボタンＩＤ２８１３が「Ｂ１」〜「Ｂ４」に対して、ゾーンＩＤ２８１４として同じゾーン識別子が設定されるが、１つのリモコン４０００で複数ゾーンＺのシーンを再現する場合には、ゾーンＩＤ２８１４として、それぞれのゾーンＺのゾーン識別子が設定される。
【０１４９】
＜３−８．自リモコン情報テーブル４４１０＞
次に、図２２は、自リモコン情報テーブル４４１０の構成及び内容の例を示す図である。自リモコン情報テーブル４４１０は、リモコン４０００の自リモコン情報記憶部４４００（図１４参照）に記憶されている。この自リモコン情報テーブル４４１０は、リモコン４０００自身の情報を記憶するためのテーブルである。自装置が備える１ボタンごとに、１レコード（１行）が登録されている。
【０１５０】
自リモコン情報テーブル４４１０は、自リモコンアドレス４４１１、ボタンＩＤ４４１２、及び、ネットワークＩＤ４４１３を有する。
【０１５１】
自リモコンアドレス４４１１は、自装置のアドレスを示す。
【０１５２】
ボタンＩＤ４４１２は、自装置が備えるボタンの識別子を示す。
【０１５３】
ネットワークＩＤ４４１３は、自装置が含まれるネットワークを特定するための識別子を示す。
【０１５４】
自リモコンアドレス４４１１、及び、ボタンＩＤ４４１２は、工場出荷時等に予め設定されているものとし、ネットワークＩＤ４４１３は、自装置が照明システム１００に登録された際に照明管理端末３０００から通知され、自リモコン情報記憶部４４００によって記憶される。
【０１５５】
＜４．動作＞
以下、照明システム１００の動作について、図２４〜図２８を用いて説明する。尚、ここでは、照明システム１００が、複数のゲートウェイＧＷを備える場合を説明するが、ゲートウェイＧＷが１つの場合は、ゲートウェイＧＷｙは存在せず、ゲートウェイＧＷｘは、データをゲートウェイＧＷｙに送信する動作を行わない。
【０１５６】
図２４は、基本情報設定処理を示すフローチャートである。つまり、リモコン４０００のボタンにシーンを割り当てるまでの処理である。基本情報設定処理として、ネットワーク情報を作成する処理、シーン情報を作成する処理、及び、ボタン割当情報を作成する処理を行う。
【０１５７】
＜４−１．ネットワーク情報の作成処理＞
まず、照明システム１００内のネットワーク情報を作成して、照明システム１００内の各ゲートウェイＧＷに記憶させる（ステップＳ１０〜ステップＳ１３）。ネットワーク情報とは、ネットワーク識別子が「Ｎｅｔ１」のネットワークに関する情報であり、具体的には、自ＧＷ装置情報テーブル２６１０、ＧＷ情報テーブル２６２０、ＧＷメンバー情報テーブル２６３０、及び、グループ・ゾーン情報テーブル２６４０である。
【０１５８】
例えば、ユーザが照明管理端末３０００の入出力部３４００を操作して、ゾーン及びグループの作成コマンドを入力する。ゾーン及びグループの作成コマンドが入力されたことを入出力部３４００が検出すると、照明管理端末３０００の照明管理制御部３１００は、入出力部３４００に照明装置配置図（図５参照）、ゲートウェイＧＷのアドレス一覧、及び、照明装置Ｌのアドレス一覧を表示する。ユーザは、入出力部３４００に表示された照明装置配置図を見ながら、グループＧ、及び、ゾーンＺを作成する。そして、ユーザは、入出力部３４００に表示されているゲートウェイＧＷのアドレス一覧を見ながら、アドレスを照明装置配置図上のゲートウェイＧＷと対応付けを行う。例えば、１アドレスの画像を照明装置配置図上のゲートウェイＧＷの画像にドラッグ＆ドロップするなどである。また、同様に、入出力部３４００に表示されている照明装置Ｌのアドレス一覧を見ながら、アドレスを照明装置配置図上の照明装置Ｌと対応付けを行う。尚、照明システム１００が管理するエリア内に設置されたゲートウェイＧＷのアドレス、及び、照明装置Ｌのアドレスは、予め照明管理端末３０００内の作業メモリに記憶されているものとする。
【０１５９】
アドレスの対応付けが完了すると、照明管理制御部３１００は、ＧＷ情報テーブル２６２０、グループ・ゾーン情報テーブル２６４０を作成して、接続されているゲートウェイＧＷｘに送信する（ステップＳ１０）。
【０１６０】
照明管理端末３０００からＧＷ情報テーブル２６２０、及び、グループ・ゾーン情報テーブル２６４０を受信したゲートウェイＧＷｘのＧＷ制御部２１００（図１２参照）は、受信したテーブルをネットワーク情報記憶部２６００に記憶させる（ステップＳ１１）。そして、ＧＷ情報テーブル２６２０、及び、グループ・ゾーン情報テーブル２６４０を、他の全てのゲートウェイＧＷｙに、ＨＵＢ１を介して送信する（ステップＳ１２）。
【０１６１】
ＨＵＢ１を介して、ゲートウェイＧＷｘからＧＷ情報テーブル２６２０、及び、グループ・ゾーン情報テーブル２６４０を受信したゲートウェイＧＷｙは、受信したテーブルを自装置のネットワーク情報記憶部２６００に記憶させる（ステップＳ１３）。
【０１６２】
その後、各ゲートウェイＧＷのＧＷ制御部２１００は、接続可能な照明装置Ｌを検出し、予め定められた方法によって他のゲートウェイＧＷと調整を行って、各照明装置ＬがいずれかのゲートウェイＧＷに制御されるように、ＧＷメンバー情報テーブル２６３０を作成して記憶する。
【０１６３】
次に、各ゲートウェイＧＷのＧＷ制御部２１００は、自装置が含まれるネットワークを示すネットワーク識別子をＧＷ情報テーブル２６２０から読み出して、自ＧＷ装置情報テーブル２６１０に設定する。詳細には、ＧＷ制御部２１００は、ＧＷ情報テーブル２６２０のネットワークＩＤ２６２１として設定されているネットワーク識別子「Ｎｅｔ１」を読み出し、自ＧＷ装置情報テーブル２６１０の項目２６１１として「ネットワークＩＤ」が設定されているレコードに、内容２６１２として設定する。そして、各ゲートウェイＧＷのＧＷ制御部２１００は、ネットワーク識別子「Ｎｅｔ１」を、自装置に属している照明装置Ｌに送信する。照明装置Ｌの照明制御部１１００は、受信したネットワーク識別子を、自照明装置情報記憶部１４００の自照明装置情報テーブル１４１０に、項目１４１１として「ネットワークＩＤ」が設定されているレコードの内容１４１２として設定する。
【０１６４】
＜４−２．シーン情報の作成処理＞
次に、照明システム１００内の各ゾーンＺのシーン情報を作成して、照明システム１００内の各ゲートウェイＧＷに記憶させる（ステップＳ２０〜ステップＳ２３）。シーン情報とは、シーン情報テーブル２７１０である。
【０１６５】
例えば、ユーザが照明管理端末３０００の入出力部３４００を操作して、シーンの作成コマンドを入力する。シーンの作成コマンドが入力されたことを入出力部３４００が検出すると、照明管理端末３０００の照明管理制御部３１００は、入出力部３４００にゾーン識別子の一覧を表示する。ゾーン識別子の一覧からユーザがゾーン識別子を選択したことを検出すると、照明管理制御部３１００は、選択されたゾーンＺを構成するグループ識別子の一覧を表示する。ユーザは、入出力部３４００に表示されたグループ識別子ごとに、発光状態、例えば、「調光率５０％」などと設定し、シーンを作成する。このシーンには、シーン識別子が付与される。
【０１６６】
シーンの作成が完了すると、照明管理制御部３１００は、シーン情報テーブル２７１０を作成して、接続されているゲートウェイＧＷｘに送信する（ステップＳ２０）。
【０１６７】
照明管理端末３０００からシーン情報テーブル２７１０を受信したゲートウェイＧＷｘのＧＷ制御部２１００（図１２参照）は、受信したテーブルをシーン情報記憶部２７００に記憶させる（ステップＳ２１）。そして、シーン情報テーブル２７１０を、他の全てのゲートウェイＧＷｙに、ＨＵＢ１を介して送信する（ステップＳ２２）。
【０１６８】
ＨＵＢ１を介して、ゲートウェイＧＷｘからシーン情報テーブル２７１０を受信したゲートウェイＧＷｙは、受信したテーブルを自装置のシーン情報記憶部２７００に記憶させる（ステップＳ２３）。
【０１６９】
＜４−３．ボタン割当情報の作成処理＞
次に、照明システム１００内のリモコン４０００のボタン割当情報を作成して、照明システム１００内の各ゲートウェイＧＷに記憶させる（ステップＳ３０〜ステップＳ３４）。ボタン割当情報とは、ボタン割当情報テーブル２８１０、及び、自リモコン情報テーブル４４１０である。
【０１７０】
＜４−３−１．リモコンの検出＞
まず、リモコン４０００の検出を行う。詳細には、例えば、リモコン４０００に対して所定の操作、例えば、予め定められた２つのボタンを同時に押下すると、リモコン４０００は登録モードとなる。登録モードにおいて、リモコン制御部４１００は、自リモコン情報記憶部４４００に記憶されている自リモコン情報テーブル４４１０から、自リモコンアドレス４４１１として設定されているアドレス、例えば、「Ｒ１−Ａｄｄｒ」を読み出して、無線通信部４２００を介して、繰り返して、間欠的に周囲に送信する。また、登録モードになっている間、リモコン４０００は、第１インジケータランプ４０１７を点滅させる。リモコン４０００からのアドレスを受信したゲートウェイＧＷのＧＷ制御部２１００は、アドレスを受信した旨の通知を当該リモコン４０００に送信する。当該通知を受信したリモコン４０００のリモコン制御部４１００は、アドレスの送信を停止して、登録モードを脱する。また、ゲートウェイＧＷのＧＷ制御部２１００は、受信したアドレスを内部のメモリに記憶し、他のゲートウェイＧＷにも送信する。他のゲートウェイＧＷは、受信したリモコン４０００のアドレスを記憶する。このように、各ゲートウェイＧＷは、照明システム１００内のリモコン４０００のアドレスを記憶する。
【０１７１】
＜４−３−２．リモコンの登録＞
次に、照明システム１００内のリモコン４０００のボタン割当情報を作成する。
【０１７２】
詳細には、例えば、ユーザが照明管理端末３０００の入出力部３４００を操作して、リモコンの登録コマンドを入力する。リモコンの登録コマンドが入力されたことを入出力部３４００が検出すると、照明管理端末３０００の照明管理制御部３１００は、シーン割当部３３００にシーンのボタンへの割当処理の開始を指示する。指示を受けたシーン割当部３３００は、入出力部３４００にリモコン登録画面３４１０（図２参照）を表示する。
【０１７３】
このリモコン登録画面３４１０において、ユーザは、リモコン４０００と、アドレスとを対応付ける。例えば、複数あるリモコン４０００のそれぞれを各部屋に配置する場合に、各リモコン４０００のアドレスを確認しながら各部屋に配置していくのは手間がかかる。そこで、上述のように、無線を介して、予め、照明システム１００内のリモコン４０００のアドレスを取得して、各ゲートウェイＧＷに記憶しておく。そして、照明管理端末３０００は、接続したゲートウェイＧＷからアドレスの一覧をダウンロードして表示させる。
【０１７４】
ユーザは、図２に示すように、アドレス一覧３４１１内の１アドレスの画像を、識別子一覧３４１２内の１識別子の画像にドラッグ＆ドロップすることで、リモコン４０００の識別子と、そのアドレスとを対応付ける。尚、この対応付けの際、ユーザが、アドレス一覧３４１１内の１アドレスが、どのリモコン４０００のアドレスであるのかを確認できるようになっている。一例として、アドレス一覧３４１１内の１アドレスの画像をユーザがタッチすることにより、当該リモコン４０００の第１インジケータランプ４０１７と第２インジケータランプ４０１８との双方が点滅するようになっている。
【０１７５】
また、第１インジケータランプ４０１７と第２インジケータランプ４０１８との双方の点滅に加え、ユーザが所定の操作をリモコン４０００に対して行うことで、照明管理端末３０００の表示部にそのリモコンを示す画像が表示（アドレスランプ３４１３が点滅）されてもよい。これにより、所望するリモコンのボタンに、所望のシーンを正しく割り当てる際のユーザの利便性が向上する。
【０１７６】
また、シーン割当部３３００は、アドレスと対応付けられた各リモコン４０００に対して、ネットワーク識別子「Ｎｅｔ１」を送信する。リモコン４０００のリモコン制御部４１００は、受信したネットワーク識別子を、自リモコン情報記憶部４４００の自リモコン情報テーブル４４１０に、ネットワークＩＤ４４１３として設定する。
【０１７７】
＜４−３−３．リモコンの確認＞
上述した２つの方法による、アドレス一覧３４１１内の１アドレスが、どのリモコン４０００のアドレスであるのかを確認する際の手順について詳細に説明する。
【０１７８】
＜４−３−３−１．インジケータランプの点滅＞
ここでは、ユーザが照明管理端末３０００に表示されたリモコン登録画面３４１０からリモコンのアドレスを指定することで、そのアドレスのリモコン４０００の第１インジケータランプ４０１７、及び、第２インジケータランプ４０１８を点滅させる手順を説明する。
【０１７９】
図２５に、第１インジケータランプ４０１７、及び、第２インジケータランプ４０１８の点滅処理のフローチャートを示す。
【０１８０】
ユーザが照明管理端末３０００の入出力部３４００を操作して、リモコンの登録コマンドを入力し、リモコンの登録コマンドが入力されたことを入出力部３４００が検出すると、照明管理端末３０００の照明管理制御部３１００は、シーン割当部３３００にシーンのボタンへの割当処理の開始を指示する。指示を受けたシーン割当部３３００は、入出力部３４００にリモコン登録画面３４１０（図２参照）を表示する。
【０１８１】
ユーザは、アドレス一覧３４１１として表示されているアドレスのうち、いずれのリモコン４０００のアドレスであるかを確認したいアドレスの画像を、タッチする。
【０１８２】
アドレス一覧３４１１内の１アドレスの画像のユーザによるタッチを入出力部３４００が検出すると（ステップＳ９０）、照明管理制御部３１００は、接続されているゲートウェイＧＷｘに対し、検出したアドレスと点滅指示とを送信する（ステップＳ９１）。点滅指示とは、具体的には、リモコン４０００の第１インジケータランプ４０１７、及び、第２インジケータランプ４０１８を点滅させるための点滅制御情報をリモコン４０００に送信する指示である。
【０１８３】
アドレス、及び、点滅指示を受信したゲートウェイＧＷｘのＧＷ制御部２１００は、受信したアドレス、及び、点滅指示を、ＨＵＢ１を介して他のゲートウェイＧＷｙに転送し（ステップＳ９２）、受信したアドレス宛に、点滅制御情報を送信する（ステップＳ９３）。また、ＨＵＢ１を介して、報知アドレスを受信した他のゲートウェイＧＷｙのＧＷ制御部２１００は、受信したアドレス宛に、点滅制御情報を送信する（ステップＳ９４）。
【０１８４】
自装置宛の点滅制御情報を受信したリモコン４０００のリモコン制御部４１００は（ステップＳ９５：Ｙｅｓ）、第１インジケータランプ４０１７、及び、第２インジケータランプ４０１８を所定期間点滅させる。
【０１８５】
＜４−３−３−２．アドレスランプの点滅＞
ここでは、ユーザがリモコン４０００に対して所定の操作を行うことで、照明管理端末３０００に表示されたリモコン登録画面３４１０内のアドレスランプ３４１３を点滅させる手順を説明する。
【０１８６】
図２６に、アドレスランプ３４１３の点滅処理のフローチャートを示す。
【０１８７】
予め定められた２つのボタンを同時に押下するなどの所定の操作がなされたことを検出したリモコン４０００の入力部４３００は、その旨をリモコン制御部４１００に通知する（ステップＳ４０）。通知を受けたリモコン制御部４１００は、自リモコン情報記憶部４４００に記憶されている自リモコン情報テーブル４４１０から自リモコンアドレス４４１１として設定されている自装置のアドレスを読み出して、読み出したアドレス（以下、「報知アドレス」という。）を周囲に送信する（ステップＳ４１）。リモコン４０００が送信した報知アドレスを受信したゲートウェイＧＷｙのＧＷ制御部２１００は、受信した報知アドレスを、ＨＵＢ１を介して他のゲートウェイＧＷｘに送信し（ステップＳ４２）、更に、照明管理端末３０００宛にも送信する（ステップＳ４３）。ＨＵＢ１を介して、報知アドレスを受信した他のゲートウェイＧＷｘのＧＷ制御部２１００は、受信した報知アドレスを照明管理端末３０００宛に送信する（ステップＳ４４）。報知アドレスを受信した照明管理端末３０００の照明管理制御部３１００は、リモコン登録画面３４１０のアドレス一覧３４１１内の、報知アドレス横のアドレスランプ３４１３を所定期間点滅させる（ステップＳ４５）。尚、照明管理端末３０００と現在接続しているゲートウェイＧＷのみが、報知アドレスを照明管理端末３０００宛に送信することとしても良い。
【０１８８】
＜４−３−４．シーンの割当＞
リモコン４０００とアドレスとの対応付けが完了すると、次に、シーン割当部３３００は、入出力部３４００にシーンセレクト画面３４２０（図３参照）を表示する。
【０１８９】
シーン割当部３３００は、グループ・ゾーン情報テーブル２６４０（図１８参照）のゾーンＩＤ２６４１を参照して、ゾーンＺの識別子を表示する。照明管理端末３０００の照明管理制御部３１００は、ゲートウェイＧＷに接続した際に、自ＧＷ装置情報テーブル２６１０等の必要なデータをダウンロードしているものとする。
【０１９０】
このシーンセレクト画面３４２０において、ユーザは、リモコン４０００の各ボタン４０１１〜４０１４に、ゾーンＺ及びシーンを割り当てる。具体的には、ユーザが、リモコン識別子一覧３４２１のうちのいずれかの識別子を選択すると（選択された識別子は、ハッチングがかけられている。）、ボタン一覧３４２２として、リモコン識別子一覧３４２１で選択されたリモコンの識別子が示すリモコン４０００のボタン識別子が表示される。そして、ユーザが、ゾーン一覧３４２３のうちのいずれかの識別子を選択すると（選択された識別子は、ハッチングがかけられている。）、シーン一覧３４２４として、ゾーン一覧３４２３で選択されたゾーンＺの識別子が示すゾーンＺに設定されたシーンの識別子が表示される。シーン割当部３３００は、シーン情報テーブル２７１０を参照し、選択されたゾーンＺを示す識別子がゾーンＩＤ２７１１として設定されたレコードから、シーンＩＤ２７１２として設定されているシーン識別子を読み出して表示する。
【０１９１】
そして、シーン一覧３４２４内の１シーン識別子の画像を、ボタン一覧３４２２内の１ボタン識別子の画像にドラッグ＆ドロップすることで、このシーンの識別子とゾーン一覧３４２３内の選択されているゾーンＺの識別子とが、リモコン識別子一覧３４２１内で選択されている識別子が示すリモコン４０００のボタンと、対応付けられる。詳細には、シーン割当部３３００は、リモコン識別子一覧３４２１で選択されているリモコン識別子がリモコンＩＤ２８１１として設定されているボタン割当情報テーブル２８１０の、ドラッグされたボタン一覧３４２２のボタン識別子がボタンＩＤ２８１３として設定されているレコードに、ゾーンＩＤ２８１４としてゾーン一覧３４２３で選択されているゾーンＺの識別子を設定し、シーンＩＤ２８１５としてシーン一覧３４２４のドロップされたシーン識別子を設定する。
【０１９２】
シーンセレクト画面３４２０において、コピーボタン３４２５がユーザによってタッチされたことを検出すると、シーン割当部３３００は、ボタン設定コピー画面３４３０（図４参照）を表示する。
【０１９３】
コピー元リモコン設定領域３４３１、及び、コピー先リモコン設定領域３４３２にリモコン４０００の識別子を選択したユーザは、決定ボタン３４３３をタッチする。これで、リモコン４０００の複製が作られる。詳細には、決定ボタン３４３３のタッチを検出した入出力部３４００から、その旨の通知を受けたシーン割当部３３００は、コピー元リモコン設定領域３４３１で選択されているリモコン識別子がリモコンＩＤ２８１１として設定されているボタン割当情報テーブル２８１０から、ゾーンＩＤ２８１４及びシーンＩＤ２８１５として設定されているデータを読み出す。そして、シーン割当部３３００は、読み出したデータを、コピー先リモコン設定領域３４３２で選択されているリモコン識別子がリモコンＩＤ２８１１として設定されているボタン割当情報テーブル２８１０のゾーンＩＤ２８１４及びシーンＩＤ２８１５として設定する。
【０１９４】
＜４−３−５．シーンの確認＞
シーンを割り当てる際、シーン一覧３４２４内のシーン識別子が示すシーンが、どのような発光状態であるのかを確認したい場合がある。そこで、実施形態では、シーン一覧３４２４内のシーン識別子が、どのような発光状態のシーンであるのかを容易に判別する方法を提供している。
【０１９５】
実施形態では、シーン一覧３４２４内のシーン識別子に対して所定の操作を、例えば、シーン識別子の画像を長押しすると、そのシーン識別子が示すシーンがテスト再現されるようになっている。
【０１９６】
図２７に、テスト再現処理のフローチャートを示す。
【０１９７】
シーン一覧３４２４のシーン識別子の画像が長押しされたことを検出した入出力部３４００は、その旨を照明管理制御部３１００に通知する。通知を受けた照明管理制御部３１００は、当該シーン画像が示すシーン識別子、及び、ゾーン一覧３４２３内で選択されているゾーン識別子を、接続されているゲートウェイＧＷｘに送信する（ステップＳ５０）。
【０１９８】
照明管理端末３０００からシーン識別子、及び、ゾーン識別子を受信したゲートウェイＧＷｘのＧＷ制御部２１００は、受信したシーン識別子、及び、ゾーン識別子を、他の全てのゲートウェイＧＷｙに、ＨＵＢ１を介して送信する（ステップＳ５１）。そして、ゲートウェイＧＷｘのＧＷ制御部２１００は、シーンを再現する（ステップＳ５２）。
【０１９９】
ＨＵＢ１を介して、ゲートウェイＧＷｘからシーン識別子、及び、ゾーン識別子を受信したゲートウェイＧＷｙは、シーンを再現する（ステップＳ５３）。
【０２００】
尚、ステップＳ５２、ステップＳ５３の処理は、＜４−４．シーンの再現処理＞の項で後述する再現処理と同じ処理を行う。
【０２０１】
ユーザは、シーンを再現させて、所望のシーンであることを確認してから、リモコン４０００のボタンに割り当てることが可能となる。つまり、照明管理端末３０００に表示されたシーンを示す画像に対して所定の操作を行うだけで、そのシーンを再現させることができるので、実際にシーンを確認してから、リモコンのボタンに割り当てることが可能となる。よって、ボタンに誤ったシーンを割り当てる可能性が大幅に少なくなる。
【０２０２】
ボタンの割当が完了すると、シーン割当部３３００は、ボタン割当情報テーブル２８１０を作成して、照明管理制御部３１００を介して、接続されているゲートウェイＧＷｘに送信する（ステップＳ３０）。
【０２０３】
照明管理端末３０００からボタン割当情報テーブル２８１０を受信したゲートウェイＧＷｘのＧＷ制御部２１００（図１２参照）は、受信したテーブルをリモコン割当情報記憶部２８００に記憶させる（ステップＳ３１）。そして、ボタン割当情報テーブル２８１０を、他の全てのゲートウェイＧＷｙに、ＨＵＢ１を介して送信する（ステップＳ３２）。
【０２０４】
ＨＵＢ１を介して、ゲートウェイＧＷｘからボタン割当情報テーブル２８１０を受信したゲートウェイＧＷｙは、受信したテーブルを自装置のリモコン割当情報記憶部２８００に記憶させる（ステップＳ３３）。
【０２０５】
これで、リモコン４０００のボタンを押下すると、シーンを再現することができることになる。
【０２０６】
＜４−４．シーンの再現処理＞
次に、リモコン４０００のボタンを押下して、シーンを再現する処理について説明する。図２８は、シーン再現処理を示すフローチャートである。
【０２０７】
ユーザは、リモコン４０００のボタン４０１１〜ボタン４０１６のうち、再現させたいシーンが割り当てられているボタンを押下する（ステップＳ６０：Ｙｅｓ）。ボタンが押下されたことを検出した入力部４３００は、押下されたボタンを通知するためのボタン送信信号（図２３（ａ）参照）を作成して、ゲートウェイＧＷｘに送信する（ステップＳ６１）。詳細には、リモコン制御部４１００は、自リモコン情報記憶部４４００に記憶されている自リモコン情報テーブル４４１０（図２２参照）から、自リモコンアドレス４４１１として設定されているアドレスを読み出し、読み出したアドレスをボタン送信信号のリモコンＩＤとして設定し、ボタンＩＤ４４１２として設定されている押下されたボタンの識別子を読み出し、読み出した識別子をボタン送信信号のボタンＩＤとして設定し、ネットワークＩＤ４４１３として設定されているネットワーク識別子を読み出し、読み出した識別子をボタン送信信号のネットワークＩＤとして設定して、ボタン送信信号を作成する。
【０２０８】
ボタン送信信号を受信したゲートウェイＧＷｘのＧＷ制御部２１００は、受信したボタン送信信号にネットワークＩＤとして設定されているネットワーク識別子が、自ＧＷ装置情報テーブル２６１０の項目２６１１「ネットワークＩＤ」に対して内容２６１２として設定されているネットワーク識別子と同じであるかを確認する。同じである場合、ＧＷ制御部２１００は、リモコン割当情報記憶部２８００に記憶されているボタン割当情報テーブル２８１０（図２１参照）を参照し、ボタン送信信号のリモコンＩＤとして設定されているデータが、Ｒアドレス２８１２として設定され、ボタン送信信号のボタンＩＤとして設定されているデータが、ボタンＩＤ２８１３として設定されているレコードから、ゾーンＩＤ２８１４として設定されているゾーン識別子（以下、「再現ゾーン識別子」という。）と、シーンＩＤ２８１５として設定されているシーン識別子（以下、「再現シーン識別子」という。）とを読み出す。
【０２０９】
そして、ＧＷ制御部２１００は、読み出した再現ゾーン識別子と、再現シーン識別子とを、他のゲートウェイＧＷｙに送信する（ステップＳ７０）。この再現ゾーン識別子と再現シーン識別子とは、再現するシーンを特定するための情報である。
【０２１０】
再現シーン識別子及び再現ゾーン識別子を送信したゲートウェイＧＷｘのＧＷ制御部２１００は、ネットワーク情報記憶部２６００、シーン情報記憶部２７００、リモコン割当情報記憶部２８００に記憶されているテーブルを参照し、自装置に属している照明装置Ｌの発光状態を設定する必要があるか否か、つまり、シーンを構成する照明装置Ｌであるか否か、発光状態を変更する必要があるか否かを判断する（ステップＳ７１）。ＧＷ制御部２１００は、必要があると判断した場合には（ステップＳ７１：Ｙｅｓ）、照明装置Ｌに発光状態を設定するための発光制御信号（図２３（ｂ）参照）を作成して送信し（ステップＳ７２）、必要がないと判断した場合には（ステップＳ７１：Ｎｏ）、発光制御信号を送信しない。
【０２１１】
詳細には、ＧＷ制御部２１００は、シーン情報記憶部２７００に記憶されているシーン情報テーブル２７１０を参照して、シーンの情報を読み出す。詳細には、ＧＷ制御部２１００は、再現ゾーン識別子がゾーンＩＤ２７１１として設定され、再現シーン識別子がシーンＩＤ２７１２として設定されているレコードから、グループＩＤ２７１３として設定されているグループ識別子（以下、「再現グループ識別子」という。）、及び、動作内容２７１４として設定されている発光状態（以下、「再現発光状態」という。）を読み出す。ただし、ＧＷ制御部２１００は、再現発光状態が「現状維持」のグループ識別子は、再現グループ識別子として読み出さない。
【０２１２】
そして、ＧＷ制御部２１００は、ネットワーク情報記憶部２６００に記憶されているグループ・ゾーン情報テーブル２６４０を参照して、再現ゾーン識別子がゾーンＩＤ２６４１として設定され、再現グループ識別子がグループＩＤ２６４２として設定されているレコードから、ＬＥＤ−ＩＤ２６４３として設定されているＬＥＤ識別子（以下、「再現ＬＥＤ識別子」という。）を読み出す。
【０２１３】
次に、ＧＷ制御部２１００は、ＧＷメンバー情報テーブル２６３０（図１９参照）を参照して、ＧＷ−ＩＤ２６３１として自装置の識別子（自ＧＷ装置情報テーブル２６１０を参照）が設定されたレコードのうち、ＬＥＤ−ＩＤ２６３２として再現ＬＥＤ識別子が設定されているレコードがある場合には、発光制御信号を作成して、照明装置Ｌに送信する。詳細には、ＧＷ制御部２１００は、そのレコードのＬアドレス２６３３として設定されているアドレスを、発光制御信号のＬＥＤ宛先として設定し、再現発光状態を、発光制御信号の制御命令として設定して、発光制御信号を作成する。
【０２１４】
また、他のゲートウェイＧＷｙのＧＷ制御部２１００も同様に、ネットワーク情報記憶部２６００、シーン情報記憶部２７００、リモコン割当情報記憶部２８００に記憶されているテーブルを参照し、自装置に属している照明装置Ｌの発光状態を設定する必要があるか否かを判断し、必要がある場合には（ステップＳ８０：Ｙｅｓ）、照明装置Ｌに発光状態を設定するための発光制御信号（図２３（ｂ）参照）を作成して送信する（ステップＳ８１）。
【０２１５】
これで、再現シーン識別子が示すシーンが再現される。つまり、ユーザは、リモコン４０００のボタンを押下するだけで、ボタンに割り当てられているシーンが再現することが可能となる。
＜補足＞
実施形態のシーンセレクト画面３４２０（図３参照）では、リモコン識別子一覧３４２１で１つのリモコン識別子を選択することとしているが、複数のリモコン識別子を選択することとしても良い。この場合、一回の操作で、選択された複数のリモコンのボタンに、同じシーンが割り当てられることになる。また、ボタン一覧３４２２のボタン識別子を複数個選択できるようにして、これら複数のボタン識別子のいずれかの画像に、シーン一覧３４２４の識別子の画像をドラッグ＆ドロップできるようにしても良い。この場合は、一回の操作で、複数のボタンに、同じシーンが割り当てられることになる。更に、リモコン識別子一覧３４２１で複数のリモコン識別子を選択し、ボタン一覧３４２２のボタン識別子を複数個選択で切るようにしても良い。この場合は、一回の操作で、複数のリモコンの複数のボタンに、同じシーンが割り当てられることになる。
【０２１６】
つまり、ユーザは、効率よく複数のリモコンのボタンに、同一のシーンを割り当てることが可能となる。
【０２１７】
上記実施形態に関して、更に、以下に付記を示す。
【０２１８】
複数の制御装置と複数の照明装置と１以上のリモコンとから成り、前記複数の制御装置それぞれは、互いに通信可能に接続され、前記複数の照明装置それぞれ及び前記リモコンそれぞれは、前記複数の制御装置のうちのいずれか１つと、無線通信により接続される照明システムであって、
前記リモコンは、複数の入力ボタンを備え、
前記制御装置は、
前記複数の照明装置のうちの１以上の照明装置それぞれの照明装置識別子と、当該照明装置それぞれの調光に関する調光情報と、シーンを特定するためのシーン特定情報とを対応付けて記憶するシーン情報記憶手段と、
前記リモコンが備えるいずれかの入力ボタンを特定するための入力ボタン識別情報と、前記シーン特定情報とを対応付けて記憶するリモコン情報記憶手段と、
前記リモコンから、前記入力ボタン識別情報を受信した場合に、受信した入力ボタン識別情報と同じ入力ボタン識別情報と対応づけて前記リモコン情報記憶手段に記憶されているシーン特定情報を検出する入力ボタン特定手段と、
前記入力ボタン特定手段で検出したシーン特定情報を、他の制御装置に送信する転送手段と、
他の制御装置の転送手段により送信されたシーン特定情報を受信するシーン受信手段と、
前記入力ボタン特定手段でシーン特定情報を検出した場合、又は、前記シーン受信手段でシーン特定情報を受信した場合には、当該シーン特定情報と対応づけて前記シーン情報記憶手段に記憶されている照明装置識別子が、自装置と接続されている照明装置を示す場合には、当該シーン特定情報及び当該照明装置識別子と対応づけて記憶されている調光情報に応じた照明制御情報を、当該照明装置に対して送信する制御手段と
を備えることを特徴とする照明システム。
【０２１９】
このような構成の照明システムによれば、リモコンのボタンにシーンが割り当てられており、かつ、複数の制御装置が複数の照明装置を制御するので、リモコンが備える入力ボタンを押下するだけで、入力ボタンに割り当てられているシーンを再現することが可能となる。つまり、リモコンから送信された入力ボタン識別情報が、いずれかの制御装置により受信されれば、他の制御装置に入力ボタン識別情報が送信されるので、パーティションや棚等の障害物があるような部屋においても、入力ボタンに割り当てられているシーンを確実に再現することが可能となる。
【０２２０】
本発明を表現するために、上述において図面を参照しながら実施形態を通して本発明を適切且つ十分に説明したが、当業者であれば上述の実施形態を変更および／または改良することは容易に為し得ることであると認識すべきである。したがって、当業者が実施する変更形態または改良形態が、特許請求の範囲に記載された請求項の権利範囲を離脱するレベルのものでない限り、当該変更形態または当該改良形態は、当該請求項の権利範囲に包括されると解釈される。
【符号の説明】
【０２２１】
ＧＷ  ゲートウェイ
Ｌ  照明装置
Ｚ  ゾーン
Ｇ  グループ
１１００  照明制御部
１３００  ＬＥＤ
１４００  自照明装置情報記憶部
２１００  ＧＷ制御部
２６００  ネットワーク情報記憶部
２７００  シーン情報記憶部
２８００  リモコン割当情報記憶部
３０００  照明管理端末
３１００  照明管理制御部
３３００  シーン割当部
４０００  リモコン
４１００  リモコン制御部
４４００  自リモコン情報記憶部
【図１】
0006418710.tif 000002
【図２】
0006418710.tif 000003
【図３】
0006418710.tif 000004
【図４】
0006418710.tif 000005
【図５】
0006418710.tif 000006
【図６】
0006418710.tif 000007
【図７】
0006418710.tif 000008
【図８】
0006418710.tif 000009
【図９】
0006418710.tif 000010
【図１０】
0006418710.tif 000011
【図１１】
0006418710.tif 000012
【図１２】
0006418710.tif 000013
【図１３】
0006418710.tif 000014
【図１４】
0006418710.tif 000015
【図１５】
0006418710.tif 000016
【図１６】
0006418710.tif 000017
【図１７】
0006418710.tif 000018
【図１８】
0006418710.tif 000019
【図１９】
0006418710.tif 000020
【図２０】
0006418710.tif 000021
【図２１】
0006418710.tif 000022
【図２２】
0006418710.tif 000023
【図２３】
0006418710.tif 000024
【図２４】
0006418710.tif 000025
【図２５】
0006418710.tif 000026
【図２６】
0006418710.tif 000027
【図２７】
0006418710.tif 000028
【図２８】
0006418710.tif 000029